(57)【要約】    【課題】  廃棄物処理業務管理の効率を向上する。    【解決手段】  データベース２０に廃棄物処理業務手順を記述した委託先業者フローと、排出事業者、廃棄物収集運搬業者及び廃棄物処理業者の企業情報及び施設情報と、廃棄物処理の契約情報と、廃棄物収集運搬業者及び廃棄物処理業者の許認可情報と、を格納する。ＷＥＢアプリケーションサーバ１０において、データベースの各情報を取得し、各情報を閲覧するための閲覧画面であって、他の閲覧画面へのリンクが設定された閲覧画面を生成し、インターネット３０を通してクライアント４０へ提供する。更に、提供された閲覧画面においてリンクがクリックされたときに、遷移先の閲覧画面を生成して遷移する。また、各情報を夫々更新するための更新画面をクライアント４０へ提供し、提供された更新画面において更新操作がなされたときに、各情報を更新する。【選択図】  図１
0003120419.tif 000002
【実用新案登録請求の範囲】
【請求項１】
廃棄物処理業務手順を記述した委託先業者フローと、廃棄物排出事業者、廃棄物収集運搬業者及び廃棄物処理業者の企業情報、施設情報及び許認可情報と、廃棄物排出事業者と廃棄物収集運搬業者又は廃棄物処理業者との間で締結された契約情報と、が少なくとも登録されるデータベースと、
前記データベースに登録された委託先業者フロー、企業情報、施設情報、許認可情報及び契約情報を夫々閲覧するための閲覧画面であって、他の閲覧画面へのリンクが設定された閲覧画面を提供する閲覧画面提供手段と、
前記閲覧画面提供手段により提供された閲覧画面においてリンクがクリックされたときに、遷移先の閲覧画面へと遷移する画面遷移手段と、
委託先業者フロー、企業情報、施設情報、許認可情報及び契約情報を夫々更新するための更新画面を提供する更新画面提供手段と、
前記更新画面提供手段により提供された更新画面において更新操作がなされたときに、前記データベースを更新する更新手段と、
を含んで構成されたことを特徴とする廃棄物処理業務管理装置。
【考案の詳細な説明】
【技術分野】
【０００１】
本考案は、コンピュータを用いて廃棄物処理業務の管理を行う技術に関する。
【背景技術】
【０００２】
廃棄物排出事業者（以下、「排出事業者」という）は、排出した廃棄物を運搬する廃棄物収集運搬業者や廃棄物を処理する廃棄物処理業者（以下、廃棄物収集運搬業者及び廃棄物処理業者を合わせて「処理業者等」という）との間で締結された契約書や、廃棄物処理に関して排出事業者や処理業者等が自治体から受けた各種許認可に関する情報を、夫々紙で管理していた。また、廃棄物処理業務の管理を代行する管理代行業者は、廃棄物処理業務手順、すなわち排出した廃棄物がどのように運搬及び処理されるか、について記述した委託先業者フローを、紙に記入して管理し、排出事業者に提供していた。
【考案の開示】
【考案が解決しようとする課題】
【０００３】
しかしながら、契約書や各種許認可を紙で管理する方法では、排出事業者が契約期限、各種許認可の有無及びその有効期限を把握するために、別々に管理されている書類を夫々確認する必要があったため、全ての排出拠点に関してそれらの情報を把握することが難しかった。よって、排出事業者が、契約期限が切れている処理業者等や、許認可を受けていないか、若しくは許認可の有効期限が切れてしまっている処理業者等に対して廃棄物の運搬や処理を委託してしまうことが頻発しており、廃棄物処理関連の法律に対する遵法性が必ずしも守られていなかった。また、管理代行業者が委託先業者フローを紙に記入する管理方法では、処理業者等に変更が生じたときに、紙に書かれた委託先業者フローを都度書き直す必要があり、手間がかかっていた。しかも、近年、管理代行業者に廃棄物処理業務管理を委託する排出事業者が増加しており、更に、廃棄物処理業務においては、処理業者等が頻繁に変わるため、委託先業者フローを修正する作業に要する負担は大きかった。
【０００４】
そこで、本考案は以上のような従来の問題点に鑑み、排出事業者の各排出拠点における廃棄物処理の委託先業者フローと、廃棄物処理に関する契約情報や排出事業者及び処理業者等に関する企業情報及び施設情報と、をサーバにより一元管理し、サーバに接続されたクライアントからその情報を必要に応じて参照又は更新できるようにすることで、廃棄物処理業務管理の効率を上げることを目的とする。
【課題を解決するための手段】
【０００５】
このため、本考案においては、委託先業者フローと、排出事業者及び処理業者等の企業情報、施設情報及び許認可情報と、排出事業者と処理業者等との間で締結された契約情報と、が少なくとも登録されるデータベースと、データベースに登録された委託先業者フロー、企業情報、施設情報、許認可情報及び契約情報を夫々閲覧するための閲覧画面であって、他の閲覧画面へのリンクが設定された閲覧画面を提供する閲覧画面提供手段と、閲覧画面提供手段により提供された閲覧画面においてリンクがクリックされたときに、遷移先の閲覧画面へと遷移する画面遷移手段と、企業情報、施設情報、許認可情報及び契約情報を夫々更新するための更新画面を提供する更新画面提供手段と、更新画面提供手段により提供された更新画面において更新操作がなされたときに、データベースを更新する更新手段と、を含んで構成されたことを特徴とする。
【考案の効果】
【０００６】
本考案によれば、委託先業者フロー、契約情報、排出事業者及び処理業者等に関する企業情報、施設情報及び許認可情報の閲覧画面が提供され、その閲覧画面から他の閲覧画面に遷移できることにより、これらの情報を簡単に見ることができるようになり、廃棄物処理業務の契約期限、各業者が受けた許認可の有無、及び許認可期限などを把握しやすくなる。また、委託先業者フロー、企業情報、施設情報、許認可情報及び契約情報の更新画面が提供され、その更新画面においてこれらの情報を更新することができるようになることで、更新作業が容易になり、管理上の情報と実際の情報との整合性をとることができる。よって、廃棄物処理業務管理の効率を上げることが可能となる。
【考案を実施するための最良の形態】
【０００７】
以下、添付された図面を参照して本考案を詳述する。
図１は、本考案に係る廃棄物処理業務管理装置の構成を示す。この廃棄物処理業務管理装置は、管理代行業者が管理するＷＥＢアプリケーションサーバ（以下「サーバ」という）１０及びデータベース２０を含んで構成される。サーバ１０は、少なくとも中央処理装置（ＣＰＵ）とメモリとを備え、メモリにロードされた廃棄物処理業務管理プログラムを実行することで、廃棄物処理業務管理に係る各種機能が実現される。データベース２０は、委託先業者フローデータベース（ＤＢ）２０Ａと、企業ＤＢ２０Ｂと、施設ＤＢ２０Ｃと、契約ＤＢ２０Ｄと、許認可ＤＢ２０Ｅと、を備える。サーバ１０は、インターネット３０を介して、排出事業者及び処理業者等が使用するクライアント４０と接続されている。
【０００８】
次に、前述した各データベースについて説明する。
委託先業者フローＤＢ２０Ａは、廃棄物処理の委託先業者フローが登録されるもので、排出事業者の企業を一意に識別する企業管理番号及び施設を一意に識別する施設管理番号と、排出物（廃棄物）と、をキー項目とし、排出物を運搬する収集運搬業者、運搬された排出物を処理する中間処理業者、中間処理業者によって生成される中間処理物、中間処理物から最終再生品を生成する最終処理業者、及び最終処理業者によって生成される最終再生品のデータが少なくとも格納される。なお、中間処理業者及び中間処理物は、複数登録することが可能である。
【０００９】
企業ＤＢ２０Ｂは、管理代行業者、排出事業者及び処理業者等の企業情報が登録されるもので、各企業情報として、企業管理番号をキー項目とし、企業名、本社所在地、電話番号、ＦＡＸ番号、代表者、資本金、社員数、及び廃棄物処理業務の中でその業者が担当する役割（排出事業者、収集運搬業者、中間処理事業者など）を示す種別のデータが少なくとも格納される。
【００１０】
施設ＤＢ２０Ｃは、排出事業者及び処理業者等が保有する施設情報が登録されるもので、各施設情報として、施設管理番号をキー項目とし、会社名、施設名、所在地、電話番号、担当者名が少なくとも格納される。
契約ＤＢ２０Ｄは、廃棄物処理の契約情報が登録されるもので、各契約を一意に識別する契約管理番号をキー項目とし、契約を締結した当事者である排出事業者及び処理業者等、契約の形態（処理委託契約、業務管理委託契約など）を示す契約種別、契約期間、契約書イメージ、及び契約期間が満了したときに契約が自動更新されるか否かを示す自動更新の有無のデータが少なくとも格納される。
【００１１】
許認可ＤＢ２０Ｅは、処理業者等が受けた許認可情報が登録されるもので、各許認可を一意に識別する許認可管理番号をキー項目とし、許認可地域、許認可の種類（産業廃棄物処理、特別管理産業廃棄物処理など）を示す許認可種別、自治体から付与された許可証の番号を示す許認可番号、許認可期限、事業区分（収集運搬、中間処理など）、許認可を受けた品目（紙くず、廃プラスチック類など）を示す許認可品目、及び許可証イメージのデータが少なくとも格納される。
【００１２】
図２は、廃棄物処理業務管理装置において提供される画面の遷移図である。以下、この遷移図、及び各画面を詳細に示す図３から図１７を用いて説明する。
図３は、クライアント４０に提供するログイン画面５０を示す。ログイン画面５０はユーザの利用権限を確認しつつ、企業、施設を特定する機能を果たし、この画面においてＩＤ５０Ａ及びパスワード５０Ｂを入力した後ログインリンク５０Ｃがクリックされると、他の閲覧画面へのリンク及び契約期限や許認可期限などのお知らせ情報が表示されるトップ画面６０へと遷移する。なお、ログイン画面５０でユーザの企業、施設が特定されることで、ユーザが排出事業者、処理業者等、及び管理代行業者のいずれに該当するかが特定される。排出事業者は自社の委託先業者フローと、それに含まれる全ての業者の企業情報、施設情報及び許認可情報と、契約情報と、を閲覧することができ、且つ自社の企業情報、施設情報を更新することができる。処理業者等は、自社の企業情報、施設情報及び許認可情報を更新することができる。管理代行業者は、全ての排出事業者の委託先業者フローと、全ての業者の企業情報、施設情報と、全ての処理業者等の許認可情報と、契約情報と、を閲覧及び更新することができる。
【００１３】
トップ画面６０は、図４に示すように、トップ画面６０自身へ遷移するためのご注意リンク６０Ａ、委託先業者フロー画面７０へ遷移するための委託先業者フローリンク６０Ｂ、委託先業者一覧画面１７０へ遷移するための委託先業者情報開示リンク６０Ｃ、契約一覧画面１８０へ遷移するための契約情報リンク６０Ｄ、及び許認可一覧画面２００へ遷移するための許認可情報リンク６０Ｅと、お知らせ欄６０Ｆと、を含んで構成される。なお、廃棄物処理業務管理装置で提供されるログイン画面５０を除く他の全ての画面の上部に、ご注意リンク６０Ａ、委託先業者フローリンク６０Ｂ、委託先業者情報開示リンク６０Ｃ、契約情報リンク６０Ｄ、及び許認可情報リンク６０Ｅが表示され、トップ画面６０の各リンクと同じ画面遷移機能を果たす。ログイン画面５０及びトップ画面６０以外の全ての画面は、ブラウザの戻るボタンにより、１つ前の画面に戻ることができる。
【００１４】
お知らせ欄６０Ｆには、例えば、契約期間が満了する日が近い契約情報や、許認可期限が満了する日が近い許認可情報のお知らせが表示される。かかる表示がされることにより、排出事業者は、契約期限や許認可期限の管理がしやすくなる。また、トップ画面６０において、委託先業者フローリンク６０Ｂがクリックされると、委託先業者フローＤＢ２０Ａから委託先業者フローが取得されると共に、取得された委託先業者フローを閲覧するための委託先業者フロー画面７０が生成され、委託先業者フロー画面７０へと遷移する。なお、この委託先業者フロー画面７０へと遷移する処理は、閲覧画面提供手段に相当する。
【００１５】
委託先業者フロー画面７０は、委託先業者フローを表示する機能を果たし、図５に示すように、排出物７０Ａ、収集運搬業者７０Ｂ、必要に応じた少なくとも１つの中間処理業者７０Ｃ、最終処理業者７０Ｄ、及び最終再生品７０Ｅを含んで構成される。更に、収集運搬業者７０Ｂ、中間処理業者７０Ｃ、最終処理業者７０Ｄには、夫々、企業７０Ｆ、契約情報を表示するための矢印７０Ｇ、及び施設を表すアイコン７０Ｈが含まれる。中間処理業者７０Ｃには、中間処理物７０Ｉが更に含まれる。なお、委託先業者フロー画面７０では、企業７０Ｆがクリックされると、企業ＤＢ２０Ｂからその業者の企業情報が、施設ＤＢ２０Ｃからその業者の施設情報が夫々取得されると共に、この企業情報及び施設情報を閲覧するための委託先業者情報開示画面８０が生成され、委託先業者情報開示画面８０へと遷移する。この委託先業者情報開示画面８０へと遷移する処理は、閲覧画面提供手段及び画面遷移手段に相当する。
【００１６】
委託先業者情報開示画面８０は、排出事業者及び処理業者等の企業情報及び施設情報を表示する機能を果たし、図６に示すように、企業情報としての企業管理番号８０Ａ、会社名（企業名）８０Ｂ、本社住所（本社所在地）８０Ｃ、電話番号８０Ｄ、ＦＡＸ番号８０Ｅ、代表者８０Ｆ、資本金８０Ｇ、社員数８０Ｈ及び種別８０Ｉと、施設情報としての施設管理番号８０Ｊ、施設名８０Ｋ、所在地８０Ｌ、電話番号８０Ｍ、担当者名８０Ｎ、及び許認可のリンク８０Ｏと、企業情報の編集・削除ボタン８０Ｐと、施設情報の追加登録ボタン８０Ｑと、を含んで構成される。この画面により排出事業者及び処理業者等の情報を簡単に見ることができ、排出事業者の管理業務の効率が上がる。また、委託先業者情報開示画面８０において、許認可のリンク８０Ｏがクリックされると、許認可ＤＢ２０Ｅからその許認可のリンク８０Ｏが設定されている施設の許認可情報が取得されると共に、この許認可情報を閲覧するための施設別許認可一覧画面９０が生成され、施設別許認可一覧画面９０へと遷移する。なお、この施設別許認可一覧画面９０へと遷移する処理は、閲覧画面提供手段及び画面遷移手段に相当する。
【００１７】
施設別許認可一覧画面９０は、施設毎の許認可の一覧を表示する機能を果たし、図７に示すように、処理業者等の施設が受けた許認可の情報としての許認可地域９０Ａ、許可証イメージへのリンク９０Ｂ、許認可番号９０Ｃ、許認可期限９０Ｄ、事業区分９０Ｅ及び許認可品目（一般廃棄物、産業廃棄物）９０Ｆと、編集・削除ボタン９０Ｇと、追加登録ボタン９０Ｈと、を含んで構成される。この画面により、排出事業者は許認可情報を簡単に確認することができ、処理業者等が受けた許認可の有無、及び許認可期限などを把握しやすくなる。なお、施設別許認可一覧画面９０において、許可証イメージへのリンク９０Ｂがクリックされると、許認可ＤＢ２０Ｅから許可証イメージが取得されると共に、この許可証イメージを閲覧するための許可証画面１００が生成され、許可証画面１００に遷移する。
【００１８】
許可証画面１００は、許可証イメージを表示する機能を果たす。この画面により、排出事業者は保管されている紙の許可証を見る必要なく、簡単に許可証の内容を確認することができる。
図７に示す施設別許認可一覧画面９０において、編集・削除ボタン９０Ｇ又は追加登録ボタン９０Ｈがクリックされると、許認可更新画面１１０に遷移する。なお、この許認可更新画面１１０へと遷移する処理は、更新画面提供手段に相当する。
【００１９】
許認可更新画面１１０は、許認可情報の更新（新規登録、変更、削除）を行う機能を果たし、図８に示すように、入力欄としての許認可地域１１０Ａ、許可証１１０Ｂ、許認可番号１１０Ｃ、許認可期限１１０Ｄ、事業区分１１０Ｅ及び許認可品目（一般廃棄物、産業廃棄物）１１０Ｆと、更新ボタン１１０Ｇと、を含んで構成される。更新ボタン１１０Ｇがクリックされたときに、これらの入力欄に入力されたデータで許認可ＤＢ２０Ｅを更新する。この画面により処理業者等が自らの許認可情報を更新することができることで、許認可情報の整合性がとりやすくなる。なお、この許認可ＤＢ２０Ｅを更新する処理は、更新手段に相当する。
【００２０】
図６に示す委託先業者情報開示画面８０において、企業情報の編集・削除ボタン８０Ｐがクリックされると、企業更新画面１２０に遷移する。なお、この企業更新画面１２０へと遷移する処理は、更新画面提供手段に相当する。
企業更新画面１２０は、企業情報の更新を行う機能を果たし、図９に示すように、入力欄としての区分（種別）１２０Ａ、会社名１２０Ｂ、本社所在地１２０Ｃ、電話番号１２０Ｄ、ＦＡＸ番号１２０Ｅ、代表者１２０Ｆ、資本金１２０Ｇ及び社員数１２０Ｈと、更新ボタン１２０Ｉと、を含んで構成される。この画面により、排出事業者及び処理業者等が自らの企業情報を更新することができることで、企業情報の整合性がとりやすくなる。なお、更新ボタン１２０Ｉがクリックされたときに、これらの入力欄に入力されたデータで、企業ＤＢ２０Ｂを更新する。この企業ＤＢ２０Ｂを更新する処理は、更新手段に相当する。
【００２１】
図６に示す委託先業者情報開示画面８０において、追加登録ボタン８０Ｑがクリックされると、施設更新画面１３０に遷移する。なお、この施設更新画面１３０へと遷移する処理は、更新画面提供手段に相当する。
施設更新画面１３０は、施設情報の更新を行う機能を果たし、図１０に示すように、入力欄としての施設名１３０Ａ、施設所在地１３０Ｂ、電話番号１３０Ｃ、ＦＡＸ番号１３０Ｄ、担当者名１３０Ｅと、更新ボタン１３０Ｆと、を含んで構成される。この画面により、排出事業者及び処理業者等が自らの施設情報を更新することができることで、施設情報の整合性がとりやすくなる。なお、更新ボタン１３０Ｆがクリックされたときに、これらの入力欄に入力されたデータで施設ＤＢ２０Ｃが更新される。なお、この施設ＤＢ２０Ｃを更新する処理は、更新手段に相当する。
【００２２】
図５に示す委託先業者フロー画面７０において、契約情報を表示するための矢印７０Ｇのうち、排出事業者と直接契約を締結している業者に含まれるものがクリックされると、契約ＤＢ２０Ｄから契約情報が取得されると共に、この契約情報を閲覧するための契約画面１４０が生成され、契約画面１４０へと遷移する。この契約画面１４０へと遷移する処理は、閲覧画面提供手段及び画面遷移手段に相当する。なお、排出事業者と直接契約を締結していない業者に含まれる矢印７０Ｇがクリックされた場合には、契約情報の代わりに出荷伝票などの関連伝票を閲覧する画面が生成され、その画面に遷移するようにすると良い。
【００２３】
契約画面１４０は、排出事業者と処理業者等との契約情報を表示する機能を果たし、図１１に示すように、排出事業者１４０Ａ、廃棄物収集運搬業者又は廃棄物処理業者１４０Ｂ、契約種別１４０Ｃ、契約書イメージへのリンク１４０Ｄ、契約期間１４０Ｅ、及び自動更新の有無１４０Ｆを含んで構成される。この画面により、排出事業者は契約情報を簡単に確認することができ、契約期限を把握しやすくなる。契約画面１４０において、排出事業者１４０Ａ又は廃棄物収集運搬業者など１４０Ｂがクリックされると、企業ＤＢ２０Ｂからその業者の企業情報が、施設ＤＢ２０Ｃからその業者の施設情報が夫々取得されると共に、図６に示す委託先業者情報開示画面８０が生成され、委託先業者情報開示画面８０へと遷移する。また、契約書イメージへのリンク１４０Ｄがクリックされると、契約ＤＢ２０Ｄから契約書イメージが取得されると共に、この契約書イメージを閲覧するための契約書画面１５０が生成され、契約書画面１５０に遷移する。
【００２４】
契約書画面１５０は、契約書イメージを表示する機能を果たす。この画面により、排出事業者は保管されている紙の契約書を見る必要なく、簡単に契約書の内容を確認することができる。
図５に示す委託先業者フロー画面７０において、委託先業者フロー更新ボタン７０Ｊがクリックされると、委託先業者フロー更新画面１６０に遷移する。
【００２５】
委託先業者フロー更新画面１６０は、委託先業者フローの更新を行う機能を果たし、図１２に示すように、入力欄としての事業者番号（施設管理番号）１６０Ａ、排出物１６０Ｂ、収集運搬業者１６０Ｃ、中間処理業者１６０Ｄ、中間処理物１６０Ｅ、最終処理業者１６０Ｆ、及び最終再生品１６０Ｇと、更新ボタン１６０Ｈと、を含んで構成される。この画面により、委託先業者フローの処理業者等に変更が生じたときに、委託先業者フローを簡単に更新でき、整合性がとりやすくなる。更新ボタン１６０Ｈがクリックされると、これらの入力欄に入力されたデータで委託先業者フローＤＢ２０Ａが更新される。なお、この委託先業者フローＤＢ２０Ａを更新する処理は、更新手段に相当する。
【００２６】
なお、図５に示す委託先業者フロー画面７０において、最終再生品７０Ｅがクリックされると、その再生品の写真を表示する。このように再生品の写真を表示することで、廃棄物がどのように処理されたかが視覚的にわかりやすくなる。
図４に示すトップ画面６０において、委託先業者情報開示リンク６０Ｃがクリックされると、企業ＤＢ２０Ｂから企業情報が、施設ＤＢ２０Ｃから施設情報が夫々取得されると共に、この企業情報及び施設情報を一覧で閲覧するための委託先業者一覧画面１７０が生成され、委託先業者一覧画面１７０へと遷移する。なお、この委託先業者一覧画面１７０へと遷移する処理は、閲覧画面提供手段に相当する。
【００２７】
委託先業者一覧画面１７０は、排出事業者及び処理業者等の企業情報及び施設情報の一覧を表示する機能を果たし、図１３に示すように、排出事業者及び処理業者等の企業情報及び施設情報として、施設管理番号１７０Ａ、企業種別（種別）１７０Ｂ、企業名１７０Ｃ、施設名１７０Ｄ、及び所在地１７０Ｅを含んで構成される。この画面により、排出事業者は自社の廃棄物処理業務に関係する処理業者等の企業情報及び施設情報の概要を一覧で簡単に見ることができ、更に管理がしやすくなる。なお、委託先業者一覧画面１７０において、施設管理番号１７０Ａがクリックされると、企業ＤＢ２０Ｂからその業者の企業情報が、施設ＤＢ２０Ｃからその業者の施設情報が夫々取得されると共に、図６に示す委託先業者情報開示画面８０が生成され、委託先業者情報開示画面８０へと遷移する。なお、この委託先業者情報開示画面８０へと遷移する処理は、閲覧画面提供手段及び画面遷移手段に相当する。
【００２８】
図４に示すトップ画面６０において、契約情報リンク６０Ｄがクリックされると、契約ＤＢ２０Ｄから契約情報が取得されると共に、この契約情報を一覧で閲覧するための契約一覧画面１８０が生成され、契約一覧画面１８０へと遷移する。
契約一覧画面１８０は、契約情報の一覧を表示する機能を果たし、図１４に示すように、契約情報としての契約管理番号１８０Ａ、契約種別１８０Ｂ、排出事業者１８０Ｃ、廃棄物収集運搬業者又は廃棄物処理業者１８０Ｄ、及び契約期間１８０Ｅと、編集・削除ボタン１８０Ｆと、新規追加ボタン１８０Ｇと、を含んで構成される。この画面により、排出事業者は処理業者等と締結した契約情報の概要を一覧で見ることができ、更に契約情報の管理がしやすくなる。契約一覧画面１８０において、契約管理番号１８０Ａがクリックされると、契約ＤＢ２０Ｄから契約情報が取得されると共に、図１１に示す契約画面１４０が生成され、契約画面１４０へと遷移する。なお、この契約画面１４０へと遷移する処理は、閲覧画面提供手段及び画面遷移手段に相当する。
【００２９】
また、契約一覧画面１８０において、編集・削除ボタン１８０Ｆ又は新規追加ボタン１８０Ｇがクリックされると、契約更新画面１９０に遷移する。なお、この契約更新画面１９０へと遷移する処理は、更新画面提供手段に相当する。
契約更新画面１９０は、契約情報の更新を行う機能を果たし、図１５に示すように、入力欄としての排出事業者１９０Ａ、処理業者等１９０Ｂ、契約種別１９０Ｃ、契約期間１９０Ｄ、自動更新の有無１９０Ｅ及び契約書イメージ１９０Ｆと、更新ボタン１９０Ｇと、を含んで構成される。この画面により、契約情報に変更が生じたときに、簡単に更新することができ、契約情報の整合性がとりやすくなる。なお、更新ボタン１９０Ｇがクリックされたときに、これらの入力欄に入力されたデータで契約ＤＢ２０Ｄが更新される。この契約ＤＢ２０Ｄを更新する処理は、更新手段に相当する。
【００３０】
図４に示すトップ画面６０において、許認可情報リンク６０Ｅがクリックされると、許認可ＤＢ２０Ｅから許認可情報が取得されると共に、この許認可情報を閲覧するための許認可一覧画面２００が生成され、許認可一覧画面２００へと遷移する。なお、この許認可一覧画面２００へと遷移する処理は、閲覧画面提供手段及び画面遷移手段に相当する。
許認可一覧画面２００は、許認可情報の一覧を表示する機能を果たし、図１６に示すように、許認可地域２００Ａ、許可証イメージへのリンク２００Ｂ、許認可番号２００Ｃ、許認可期限２００Ｄ、事業区分２００Ｅ及び許認可品目（一般廃棄物、産業廃棄物）２００Ｆを含んで構成される。この画面により、排出事業者は自社の廃棄物処理業務に関係する全ての許認可情報を一覧で見ることができ、更に許認可情報の管理がしやすくなる。なお、許認可一覧画面２００において、許可証イメージへのリンク２００Ｂがクリックされると、許認可ＤＢ２０Ｅから許可証イメージが取得されると共に、許可証画面１００が生成され、許可証画面１００に遷移する。また、編集・削除ボタン２００Ｇ又は追加登録ボタン２００Ｈがクリックされると、図８に示す許認可更新画面１１０に遷移する。
【００３１】
なお、図４に示すトップ画面６０のお知らせ欄６０Ｆに表示される内容のうち、契約期間が満了する日が近い契約情報や許認可期限が満了する日が近い許認可情報のお知らせにリンク機能を付加し、夫々図１１に示す契約画面１４０や、図７に示す施設別許認可一覧画面９０に遷移できるものとすると良い。かかる遷移ができることにより、契約期限や許認可期限の把握が更に容易になる。
【００３２】
また、管理代行業者以外のユーザ（排出事業者又は処理業者等）により企業情報、施設情報及び許認可情報のいずれかが更新されたときには、その更新内容は運用上未承認のものとし、管理代行業者により承認されなければならないものとする。かかる未承認の更新内容があるときに管理代行業者がログインした場合には、その更新内容の閲覧画面、すなわち、企業情報、施設情報が更新された場合は図６に示す委託先業者情報開示画面８０、許認可情報が更新された場合は図７に示す施設別許認可一覧画面９０及び図１６に示す許認可一覧画面２００に、夫々承認ボタンが表示される。管理代行業者によりその承認ボタンがクリックされることで、これらの更新内容が承認されたものとされる。なお、かかる未承認の更新があるときには、管理代行業者がログインしたときに限り、トップ画面に未承認の更新があることがお知らせ表示され、夫々の更新内容の閲覧画面に直接リンクできるものとする。
【００３３】
かかる廃棄物処理業務管理装置において提供される画面により、排出事業者は、管理代行業者が提供する管理情報を利用して、委託先業者フロー、処理業者等の企業情報、施設情報及び許認可情報や廃棄物処理の契約情報を簡単に確認することが可能となる。よって、排出事業者は、廃棄物処理業務の契約期限、処理業者等が受けた許認可の有無、及び許認可期限などを把握しやすくなり、管理の効率が向上する。更に、これらの情報を図１３に示す委託先業者一覧画面１７０、図１４に示す契約一覧画面１８０、及び図１６に示す許認可一覧画面２００により一覧で見ることができることにより、全体の情報が把握しやすくなる。また、排出事業者及び処理業者等により、各情報を容易に更新できるようになることから、実際の状態との整合性がとりやすくなり、排出事業者は自社の廃棄物処理業務について更に効率を上げることができる。
【００３４】
また、排出事業者は、不法投棄を抑制し、且つリサイクルを促進するために、どの位の重量の廃棄物が最終的にどのような最終処理物になったかを廃棄物の品目別に明確にし、リサイクルできた廃棄物の比率を把握する必要がある。現状はこの重量比率管理もやはり紙で行われており、管理代行業者が、収集運搬業者が計量した廃棄物の重量と最終処理業者から報告される最終処理物とに基づき、リサイクルできた廃棄物の比率を算出して重量比率管理表に記入し、排出事業者に提供しているが、この重量比率管理を行う手段も、機能の一つとして組み込むことが望ましい。すなわち、収集運搬業者や最終処理業者が廃棄物の重量や最終処理物を直接入力することが可能な画面と、それを基に算出された比率が表示されている図１７に示すような品目別排出重量情報画面と、を更に備え、排出事業者がこれらの手段により重量比率管理を行うことを可能にすると良い。
【図面の簡単な説明】
【００３５】
【図１】本考案を適用した廃棄物処理業務管理装置の機能概要図
【図２】画面遷移図
【図３】ログイン画面の説明図
【図４】トップ画面の説明図
【図５】委託先業者フロー画面の説明図
【図６】委託先業者情報開示の説明図
【図７】施設別許認可一覧画面の説明図
【図８】許認可更新画面の説明図
【図９】企業更新画面の説明図
【図１０】施設更新画面の説明図
【図１１】契約画面の説明図
【図１２】委託先業者フロー更新画面の説明図
【図１３】委託先業者一覧画面の説明図
【図１４】契約一覧画面の説明図
【図１５】契約更新画面の説明図
【図１６】許認可一覧画面の説明図
【図１７】品目別排出重量情報画面の説明図
【符号の説明】
【００３６】
１０    サーバ
２０    データベース
２０Ａ    委託先業者フローＤＢ
２０Ｂ    企業ＤＢ
２０Ｃ    施設ＤＢ
２０Ｄ    契約ＤＢ
２０Ｅ    許認可ＤＢ
３０    インターネット
４０    クライアント
５０    ログイン画面
６０    トップ画面
７０    委託先業者フロー画面
８０    委託先業者情報開示
９０    施設別許認可一覧画面
１００    許可証画面
１１０    許認可更新画面
１２０    企業更新画面
１３０    施設更新画面
１４０    契約画面
１５０    契約書画面
１６０    委託先業者フロー更新画面
１７０    委託先業者一覧画面
１８０    契約一覧画面
１９０    契約更新画面
２００    許認可一覧画面
【図１】
0003120419.tif 000003
【図２】
0003120419.tif 000004
【図３】
0003120419.tif 000005
【図４】
0003120419.tif 000006
【図５】
0003120419.tif 000007
【図６】
0003120419.tif 000008
【図７】
0003120419.tif 000009
【図８】
0003120419.tif 000010
【図９】
0003120419.tif 000011
【図１０】
0003120419.tif 000012
【図１１】
0003120419.tif 000013
【図１２】
0003120419.tif 000014
【図１３】
0003120419.tif 000015
【図１４】
0003120419.tif 000016
【図１５】
0003120419.tif 000017
【図１６】
0003120419.tif 000018
【図１７】
0003120419.tif 000019
【手続補正書】
【提出日】平成17年11月11日(2005.11.11)
【手続補正１】
【補正対象書類名】実用新案登録請求の範囲
【補正対象項目名】全文
【補正方法】変更
【補正の内容】
【実用新案登録請求の範囲】
【請求項１】
データベースと、インターネットを介してクライアントに接続されるＷＥＢアプリケーションサーバと、を含んで構成された廃棄物処理業務管理装置であって、
前記データベースには、廃棄物処理業務手順を記述した委託先業者フローと、廃棄物排出事業者、廃棄物収集運搬業者及び廃棄物処理業者の企業情報、施設情報及び許認可情報と、廃棄物排出事業者と廃棄物収集運搬業者又は廃棄物処理業者との間で締結された契約情報と、が少なくとも登録され、
前記ＷＥＢアプリケーションサーバは、前記データベースに登録された委託先業者フロー、企業情報、施設情報、許認可情報及び契約情報を夫々閲覧するための閲覧画面であって、他の閲覧画面へのリンクが設定された閲覧画面を前記クライアントに提供し、前記閲覧画面においてリンクがクリックされたときに、遷移先の閲覧画面へと遷移すると共に、委託先業者フロー、企業情報、施設情報、許認可情報及び契約情報を夫々更新するための更新画面を前記クライアントに提供し、前記更新画面において更新操作がなされたときに、前記データベースを更新することを特徴とする廃棄物処理業務管理装置。
【手続補正２】
【補正対象書類名】明細書
【補正対象項目名】０００５
【補正方法】変更
【補正の内容】
【０００５】
このため、本考案においては、データベースと、インターネットを介してクライアントに接続されるＷＥＢアプリケーションサーバと、を含んで構成される。データベースには、委託先業者フローと、排出事業者及び処理業者等の企業情報、施設情報及び許認可情報と、排出事業者と処理業者等との間で締結された契約情報と、が少なくとも登録される。また、ＷＥＢアプリケーションサーバは、データベースに登録された委託先業者フロー、企業情報、施設情報、許認可情報及び契約情報を夫々閲覧するための閲覧画面であって、他の閲覧画面へのリンクが設定された閲覧画面をクライアントに提供し、閲覧画面においてリンクがクリックされたときに、遷移先の閲覧画面へと遷移すると共に、委託先業者フロー、企業情報、施設情報、許認可情報及び契約情報を夫々更新するための更新画面をクライアントに提供し、更新画面において更新操作がなされたときに、データベースを更新することを特徴とする。
【手続補正３】
【補正対象書類名】明細書
【補正対象項目名】００１４
【補正方法】変更
【補正の内容】
【００１４】
お知らせ欄６０Ｆには、例えば、契約期間が満了する日が近い契約情報や、許認可期限が満了する日が近い許認可情報のお知らせが表示される。かかる表示がされることにより、排出事業者は、契約期限や許認可期限の管理がしやすくなる。また、トップ画面６０において、委託先業者フローリンク６０Ｂがクリックされると、委託先業者フローＤＢ２０Ａから委託先業者フローが取得されると共に、取得された委託先業者フローを閲覧するための委託先業者フロー画面７０が生成され、委託先業者フロー画面７０へと遷移する。
【手続補正４】
【補正対象書類名】明細書
【補正対象項目名】００１５
【補正方法】変更
【補正の内容】
【００１５】
委託先業者フロー画面７０は、委託先業者フローを表示する機能を果たし、図５に示すように、排出物７０Ａ、収集運搬業者７０Ｂ、必要に応じた少なくとも１つの中間処理業者７０Ｃ、最終処理業者７０Ｄ、及び最終再生品７０Ｅを含んで構成される。更に、収集運搬業者７０Ｂ、中間処理業者７０Ｃ、最終処理業者７０Ｄには、夫々、企業７０Ｆ、契約情報を表示するための矢印７０Ｇ、及び施設を表すアイコン７０Ｈが含まれる。中間処理業者７０Ｃには、中間処理物７０Ｉが更に含まれる。なお、委託先業者フロー画面７０では、企業７０Ｆがクリックされると、企業ＤＢ２０Ｂからその業者の企業情報が、施設ＤＢ２０Ｃからその業者の施設情報が夫々取得されると共に、この企業情報及び施設情報を閲覧するための委託先業者情報開示画面８０が生成され、委託先業者情報開示画面８０へと遷移する。
【手続補正５】
【補正対象書類名】明細書
【補正対象項目名】００１６
【補正方法】変更
【補正の内容】
【００１６】
委託先業者情報開示画面８０は、排出事業者及び処理業者等の企業情報及び施設情報を表示する機能を果たし、図６に示すように、企業情報としての企業管理番号８０Ａ、会社名（企業名）８０Ｂ、本社住所（本社所在地）８０Ｃ、電話番号８０Ｄ、ＦＡＸ番号８０Ｅ、代表者８０Ｆ、資本金８０Ｇ、社員数８０Ｈ及び種別８０Ｉと、施設情報としての施設管理番号８０Ｊ、施設名８０Ｋ、所在地８０Ｌ、電話番号８０Ｍ、担当者名８０Ｎ、及び許認可のリンク８０Ｏと、企業情報の編集・削除ボタン８０Ｐと、施設情報の追加登録ボタン８０Ｑと、を含んで構成される。この画面により排出事業者及び処理業者等の情報を簡単に見ることができ、排出事業者の管理業務の効率が上がる。また、委託先業者情報開示画面８０において、許認可のリンク８０Ｏがクリックされると、許認可ＤＢ２０Ｅからその許認可のリンク８０Ｏが設定されている施設の許認可情報が取得されると共に、この許認可情報を閲覧するための施設別許認可一覧画面９０が生成され、施設別許認可一覧画面９０へと遷移する。
【手続補正６】
【補正対象書類名】明細書
【補正対象項目名】００１８
【補正方法】変更
【補正の内容】
【００１８】
許可証画面１００は、許可証イメージを表示する機能を果たす。この画面により、排出事業者は保管されている紙の許可証を見る必要なく、簡単に許可証の内容を確認することができる。
図７に示す施設別許認可一覧画面９０において、編集・削除ボタン９０Ｇ又は追加登録ボタン９０Ｈがクリックされると、許認可更新画面１１０に遷移する。
【手続補正７】
【補正対象書類名】明細書
【補正対象項目名】００１９
【補正方法】変更
【補正の内容】
【００１９】
許認可更新画面１１０は、許認可情報の更新（新規登録、変更、削除）を行う機能を果たし、図８に示すように、入力欄としての許認可地域１１０Ａ、許可証１１０Ｂ、許認可番号１１０Ｃ、許認可期限１１０Ｄ、事業区分１１０Ｅ及び許認可品目（一般廃棄物、産業廃棄物）１１０Ｆと、更新ボタン１１０Ｇと、を含んで構成される。更新ボタン１１０Ｇがクリックされたときに、これらの入力欄に入力されたデータで許認可ＤＢ２０Ｅを更新する。この画面により処理業者等が自らの許認可情報を更新することができることで、許認可情報の整合性がとりやすくなる。
【手続補正８】
【補正対象書類名】明細書
【補正対象項目名】００２０
【補正方法】変更
【補正の内容】
【００２０】
図６に示す委託先業者情報開示画面８０において、企業情報の編集・削除ボタン８０Ｐがクリックされると、企業更新画面１２０に遷移する。
企業更新画面１２０は、企業情報の更新を行う機能を果たし、図９に示すように、入力欄としての区分（種別）１２０Ａ、会社名１２０Ｂ、本社所在地１２０Ｃ、電話番号１２０Ｄ、ＦＡＸ番号１２０Ｅ、代表者１２０Ｆ、資本金１２０Ｇ及び社員数１２０Ｈと、更新ボタン１２０Ｉと、を含んで構成される。この画面により、排出事業者及び処理業者等が自らの企業情報を更新することができることで、企業情報の整合性がとりやすくなる。なお、更新ボタン１２０Ｉがクリックされたときに、これらの入力欄に入力されたデータで、企業ＤＢ２０Ｂを更新する。
【手続補正９】
【補正対象書類名】明細書
【補正対象項目名】００２１
【補正方法】変更
【補正の内容】
【００２１】
図６に示す委託先業者情報開示画面８０において、追加登録ボタン８０Ｑがクリックされると、施設更新画面１３０に遷移する。
施設更新画面１３０は、施設情報の更新を行う機能を果たし、図１０に示すように、入力欄としての施設名１３０Ａ、施設所在地１３０Ｂ、電話番号１３０Ｃ、ＦＡＸ番号１３０Ｄ、担当者名１３０Ｅと、更新ボタン１３０Ｆと、を含んで構成される。この画面により、排出事業者及び処理業者等が自らの施設情報を更新することができることで、施設情報の整合性がとりやすくなる。なお、更新ボタン１３０Ｆがクリックされたときに、これらの入力欄に入力されたデータで施設ＤＢ２０Ｃが更新される。
【手続補正１０】
【補正対象書類名】明細書
【補正対象項目名】００２２
【補正方法】変更
【補正の内容】
【００２２】
図５に示す委託先業者フロー画面７０において、契約情報を表示するための矢印７０Ｇのうち、排出事業者と直接契約を締結している業者に含まれるものがクリックされると、契約ＤＢ２０Ｄから契約情報が取得されると共に、この契約情報を閲覧するための契約画面１４０が生成され、契約画面１４０へと遷移する。なお、排出事業者と直接契約を締結していない業者に含まれる矢印７０Ｇがクリックされた場合には、契約情報の代わりに出荷伝票などの関連伝票を閲覧する画面が生成され、その画面に遷移するようにすると良い。
【手続補正１１】
【補正対象書類名】明細書
【補正対象項目名】００２５
【補正方法】変更
【補正の内容】
【００２５】
委託先業者フロー更新画面１６０は、委託先業者フローの更新を行う機能を果たし、図１２に示すように、入力欄としての事業者番号（施設管理番号）１６０Ａ、排出物１６０Ｂ、収集運搬業者１６０Ｃ、中間処理業者１６０Ｄ、中間処理物１６０Ｅ、最終処理業者１６０Ｆ、及び最終再生品１６０Ｇと、更新ボタン１６０Ｈと、を含んで構成される。この画面により、委託先業者フローの処理業者等に変更が生じたときに、委託先業者フローを簡単に更新でき、整合性がとりやすくなる。更新ボタン１６０Ｈがクリックされると、これらの入力欄に入力されたデータで委託先業者フローＤＢ２０Ａが更新される。
【手続補正１２】
【補正対象書類名】明細書
【補正対象項目名】００２６
【補正方法】変更
【補正の内容】
【００２６】
なお、図５に示す委託先業者フロー画面７０において、最終再生品７０Ｅがクリックされると、その再生品の写真を表示する。このように再生品の写真を表示することで、廃棄物がどのように処理されたかが視覚的にわかりやすくなる。
図４に示すトップ画面６０において、委託先業者情報開示リンク６０Ｃがクリックされると、企業ＤＢ２０Ｂから企業情報が、施設ＤＢ２０Ｃから施設情報が夫々取得されると共に、この企業情報及び施設情報を一覧で閲覧するための委託先業者一覧画面１７０が生成され、委託先業者一覧画面１７０へと遷移する。
【手続補正１３】
【補正対象書類名】明細書
【補正対象項目名】００２７
【補正方法】変更
【補正の内容】
【００２７】
委託先業者一覧画面１７０は、排出事業者及び処理業者等の企業情報及び施設情報の一覧を表示する機能を果たし、図１３に示すように、排出事業者及び処理業者等の企業情報及び施設情報として、施設管理番号１７０Ａ、企業種別（種別）１７０Ｂ、企業名１７０Ｃ、施設名１７０Ｄ、及び所在地１７０Ｅを含んで構成される。この画面により、排出事業者は自社の廃棄物処理業務に関係する処理業者等の企業情報及び施設情報の概要を一覧で簡単に見ることができ、更に管理がしやすくなる。なお、委託先業者一覧画面１７０において、施設管理番号１７０Ａがクリックされると、企業ＤＢ２０Ｂからその業者の企業情報が、施設ＤＢ２０Ｃからその業者の施設情報が夫々取得されると共に、図６に示す委託先業者情報開示画面８０が生成され、委託先業者情報開示画面８０へと遷移する。
【手続補正１４】
【補正対象書類名】明細書
【補正対象項目名】００２８
【補正方法】変更
【補正の内容】
【００２８】
図４に示すトップ画面６０において、契約情報リンク６０Ｄがクリックされると、契約ＤＢ２０Ｄから契約情報が取得されると共に、この契約情報を一覧で閲覧するための契約一覧画面１８０が生成され、契約一覧画面１８０へと遷移する。
契約一覧画面１８０は、契約情報の一覧を表示する機能を果たし、図１４に示すように、契約情報としての契約管理番号１８０Ａ、契約種別１８０Ｂ、排出事業者１８０Ｃ、廃棄物収集運搬業者又は廃棄物処理業者１８０Ｄ、及び契約期間１８０Ｅと、編集・削除ボタン１８０Ｆと、新規追加ボタン１８０Ｇと、を含んで構成される。この画面により、排出事業者は処理業者等と締結した契約情報の概要を一覧で見ることができ、更に契約情報の管理がしやすくなる。契約一覧画面１８０において、契約管理番号１８０Ａがクリックされると、契約ＤＢ２０Ｄから契約情報が取得されると共に、図１１に示す契約画面１４０が生成され、契約画面１４０へと遷移する。
【手続補正１５】
【補正対象書類名】明細書
【補正対象項目名】００２９
【補正方法】変更
【補正の内容】
【００２９】
また、契約一覧画面１８０において、編集・削除ボタン１８０Ｆ又は新規追加ボタン１８０Ｇがクリックされると、契約更新画面１９０に遷移する。
契約更新画面１９０は、契約情報の更新を行う機能を果たし、図１５に示すように、入力欄としての排出事業者１９０Ａ、処理業者等１９０Ｂ、契約種別１９０Ｃ、契約期間１９０Ｄ、自動更新の有無１９０Ｅ及び契約書イメージ１９０Ｆと、更新ボタン１９０Ｇと、を含んで構成される。この画面により、契約情報に変更が生じたときに、簡単に更新することができ、契約情報の整合性がとりやすくなる。なお、更新ボタン１９０Ｇがクリックされたときに、これらの入力欄に入力されたデータで契約ＤＢ２０Ｄが更新される。
【手続補正１６】
【補正対象書類名】明細書
【補正対象項目名】００３０
【補正方法】変更
【補正の内容】
【００３０】
図４に示すトップ画面６０において、許認可情報リンク６０Ｅがクリックされると、許認可ＤＢ２０Ｅから許認可情報が取得されると共に、この許認可情報を閲覧するための許認可一覧画面２００が生成され、許認可一覧画面２００へと遷移する。
許認可一覧画面２００は、許認可情報の一覧を表示する機能を果たし、図１６に示すように、許認可地域２００Ａ、許可証イメージへのリンク２００Ｂ、許認可番号２００Ｃ、許認可期限２００Ｄ、事業区分２００Ｅ及び許認可品目（一般廃棄物、産業廃棄物）２００Ｆを含んで構成される。この画面により、排出事業者は自社の廃棄物処理業務に関係する全ての許認可情報を一覧で見ることができ、更に許認可情報の管理がしやすくなる。なお、許認可一覧画面２００において、許可証イメージへのリンク２００Ｂがクリックされると、許認可ＤＢ２０Ｅから許可証イメージが取得されると共に、許可証画面１００が生成され、許可証画面１００に遷移する。また、編集・削除ボタン２００Ｇ又は追加登録ボタン２００Ｈがクリックされると、図８に示す許認可更新画面１１０に遷移する。
【手続補正１７】
【補正対象書類名】図面
【補正対象項目名】図３
【補正方法】変更
【補正の内容】
【図３】
0003120419.tif 000020
【手続補正書】
【提出日】平成18年1月27日(2006.1.27)
【手続補正１】
【補正対象書類名】実用新案登録請求の範囲
【補正対象項目名】全文
【補正方法】変更
【補正の内容】
【実用新案登録請求の範囲】
【請求項１】
データベース装置と、インターネットを介してクライアント装置に接続されるＷＥＢアプリケーションサーバ装置と、を含んで構成された廃棄物処理業務管理装置であって、
前記データベース装置は、廃棄物処理業務手順を記述した委託先業者フローが格納された委託先業者フローデータベースと、廃棄物排出事業者、廃棄物収集運搬業者及び廃棄物処理業者の企業情報が格納された企業情報データベースと、廃棄物排出事業者、廃棄物収集運搬業者及び廃棄物処理業者の施設情報が格納された施設情報データベースと、廃棄物排出事業者、廃棄物収集運搬業者及び廃棄物処理業者の許認可情報が格納された許認可情報データベースと、廃棄物排出事業者と廃棄物収集運搬業者又は廃棄物処理業者との間で締結された契約情報が格納された契約情報データベースと、を備え、
前記ＷＥＢアプリケーションサーバ装置は、各データベースに夫々格納された委託先業者フロー、企業情報、施設情報、許認可情報及び契約情報を夫々閲覧するための閲覧画面であって、他の閲覧画面へのリンクが設定された閲覧画面を前記クライアント装置に提供する閲覧画面提供手段と、前記閲覧画面提供手段により提供された閲覧画面においてリンクがクリックされたときに、遷移先の閲覧画面へと遷移させる画面遷移手段と、委託先業者フロー、企業情報、施設情報、許認可情報及び契約情報を夫々更新するための更新画面を前記クライアント装置に提供する更新画面提供手段と、前記更新画面において更新操作がなされたときに、各データベースを夫々更新する更新手段と、を備えたことを特徴とする廃棄物処理業務管理装置。
【手続補正２】
【補正対象書類名】明細書
【補正対象項目名】０００５
【補正方法】変更
【補正の内容】
【０００５】
このため、本考案においては、データベース装置と、インターネットを介してクライアント装置に接続されるＷＥＢアプリケーションサーバ装置と、を含んで構成される。データベース装置は、廃棄物処理業務手順を記述した委託先業者フローが格納された委託先業者フローデータベースと、廃棄物排出事業者、廃棄物収集運搬業者及び廃棄物処理業者の企業情報が格納された企業情報データベースと、廃棄物排出事業者、廃棄物収集運搬業者及び廃棄物処理業者の施設情報が格納された施設情報データベースと、廃棄物排出事業者、廃棄物収集運搬業者及び廃棄物処理業者の許認可情報が格納された許認可情報データベースと、廃棄物排出事業者と廃棄物収集運搬業者又は廃棄物処理業者との間で締結された契約情報が格納された契約情報データベースと、を備える。また、ＷＥＢアプリケーションサーバ装置は、各データベースに夫々格納された委託先業者フロー、企業情報、施設情報、許認可情報及び契約情報を夫々閲覧するための閲覧画面であって、他の閲覧画面へのリンクが設定された閲覧画面をクライアント装置に提供する閲覧画面提供手段と、閲覧画面提供手段により提供された閲覧画面においてリンクがクリックされたときに、遷移先の閲覧画面へと遷移させる画面遷移手段と、委託先業者フロー、企業情報、施設情報、許認可情報及び契約情報を夫々更新するための更新画面をクライアント装置に提供する更新画面提供手段と、更新画面において更新操作がなされたときに、各データベースを夫々更新する更新手段と、を備えたことを特徴とする。
【手続補正３】
【補正対象書類名】明細書
【補正対象項目名】０００７
【補正方法】変更
【補正の内容】
【０００７】
以下、添付された図面を参照して本考案を詳述する。
図１は、本考案に係る廃棄物処理業務管理装置の構成を示す。この廃棄物処理業務管理装置は、管理代行業者が管理するＷＥＢアプリケーションサーバ装置（以下「サーバ」という）１０及びデータベース装置（以下「データベース」という）２０を含んで構成される。サーバ１０は、少なくとも中央処理装置（ＣＰＵ）とメモリとを備え、メモリにロードされた廃棄物処理業務管理プログラムを実行することで、廃棄物処理業務管理に係る各種機能が実現される。データベース２０は、委託先業者フローデータベース（ＤＢ）２０Ａと、企業ＤＢ２０Ｂと、施設ＤＢ２０Ｃと、契約ＤＢ２０Ｄと、許認可ＤＢ２０Ｅと、を備える。サーバ１０は、インターネット３０を介して、排出事業者及び処理業者等が使用するクライアント装置（以下「クライアント」という）４０と接続されている。